(57)【特許請求の範囲】
【請求項１】
パチンコの賞球の収納箱であって、
電源と発光体が途中に配設された開回路が設けられており、その開回路の両開放端が箱の内面の所定の深さの位置に露出しており、前記賞球が箱内に溜まっていって、その最上位のものが前記開放端に接すると、前記開回路と賞球とで閉回路が形成され、その閉回路に前記電源によって電流が流れて、前記発光体が発光し、前記賞球の最上位のものが下がって前記開放端との接点がなくなると、前記発光体が発光しなくなるようになっていることを特徴とするパチンコの賞球の収納箱。
【発明の詳細な説明】
【０００１】
【発明の属する技術分野】
この発明は、パチンコの賞球の収納箱に関する。
【０００２】
【従来の技術】
大衆娯楽の優等生としてパチンコ業界は隆盛のさ中にあるが、一方で競争も激しく、パチンコ店は、どの店もその生き残りをかけて、遊戯者の気を引くような様々な工夫を凝らしている。
【０００３】
【発明が解決しようとする課題】
そこで、この発明の課題は、そのような遊戯者が気を引くような工夫の具体例の一つを提供することにある。
【０００４】
【課題を解決するための手段】
上記課題を解決するために、この発明は、パチンコの賞球の収納箱であって、電源と発光体が途中に配設された開回路が設けられており、その開回路の両開放端が箱の内面の所定の深さの位置に露出しており、前記賞球が箱内に溜まっていって、その最上位のものが前記開放端に接すると、前記開回路と賞球とで閉回路が形成され、その閉回路に前記電源によって電流が流れて、前記発光体が発光し、前記賞球の最上位のものが下がって前記開放端との接点がなくなると、前記発光体が発光しなくなるようになっている構成のものとしたのである。
【０００５】
このようにしたことにより、前記開回路の両開放端が位置する深さを、その位置に賞球の最上位のものが達した時に、その時の賞球の量に対応する獲得賞金が五千円、一万円といった高額な金額となるような位置にしておけば、遊戯者はその収納箱が発光するのを目にして、上記のような多額の賞金に値する賞球を獲得したことを実感して優越感を得たり、逆に、その獲得した賞球からそれを費やす事態になれば、最上位の位置の賞球が下がって、前記開放端から離れて、発光が無くなるので、賞球が減ってきていることを実感したりして、一喜一憂して、遊戯に張り合いを持つことができる。
【０００７】
【発明の実施の形態】
以下、図を参照して、この発明の実施の形態を説明する。図１（ａ）に示すこの実施形態の賞球Ｂの収納箱１０は、上面開放の直方体を成し、透明なポリカーボネイトで形成されている。
【０００８】
箱１０の周縁は補強のためその部分の断面が全周に渡ってコ字状１を成している。箱１０の周面を形成する四つの側面の内、箱１０の長手方向に対向する一組の側面の上縁に対の把手２が設けられている。
【０００９】
前記周縁のコ字状１の内側には、エナメルの電線３ｗ、４ｗが埋設された二本の帯状のプリント基板３、４が上下二段に平行に箱１０の周面に沿って接着材で貼り付けられている。各プリント基板３、４内の前記電線３ｗ、４ｗには、その長手方向に沿って発光ダイオード５が所定のピッチで接続されており、上下の電線３ｗ、４ｗ間では千鳥状に配設されている。
【００１０】
各電線３ｗ、４ｗの発光ダイオード５は、図１（ｂ）に示すように、その光軸が基板３、４に対して直立するような向きで取り付けられており、その頭部は前記周縁のコ字断面の外側の部分に設けられた切り欠き６を介して外方に臨むような形になっている。各電線３ｗ、４ｗに接続された発光ダイオード５の色は上側の基板４のものが「橙」で下側の基板３のものが「黄」となっている。
【００１１】
また、それぞれのプリント基板３、４の電線３ｗ、４ｗの途中には、前記把手２の位置に電池７が直列に組み込まれている。
【００１２】
各プリント基板３、４の回路は、その途中が開放された開回路となっており、その開放部の両開放端からは、図１（ａ）に示すように、それぞれリード線３ａ、４ａが延伸している。リード線３ａ、４ａの先端は箱１０の周面に設けられた穴３ｈ、４ｈを通じて、箱１０の内面側に露出して箱１０の内面に接着材で固定されている。各基板３、４のリード線３ａ、４ａの先端の箱１０の深さ方向の位置は、溜まった賞球Ｂの最上位のものがその位置にある時に、その時の賞球Ｂの量が、前記「黄」のダイオード５が接続された回路のリード線３ａは５千円、「橙」のダイオード５が接続された回路のリード線４ａは一万円となるような量の位置になっている。
【００１３】
以上のような収納箱１０では、図２（ａ）に示すような獲得賞球Ｂの少ない状態から賞球Ｂが溜まって行くと、先ず、図２（ｂ）に示すように、その塊の最上位のものが「黄」のダイオード５が接続された回路のリード線３ａの先端の位置に達してそれに触れる。そうすると、賞球Ｂは導電性を有するので、それと前記開回路とで閉回路が形成され、前記電池によってその閉回路に電流が流れるので、それに接続された「黄」の発光ダイオード５が点灯する。遊戯者はそれを見て五千円分の賞球Ｂが溜まったことを認識する。
【００１４】
さらに、賞球Ｂが溜まって行くと、図２（ｃ）に示すように、それが、もう一方の基板４から延伸しているリード線４ａの先端の位置に達してそれに触れて、先程と同じように、今度は「橙」の色の発光ダイオード５が発光して、遊戯者は一万円分の賞球Ｂが溜まったことを認識する。
【００１５】
逆に、そのような状態から賞球Ｂが費やされていくと、リード線の先端３ａ、４ａと賞球Ｂとの接触がなくなるので、回路は元の開回路となって電流が流れなくなり、それぞれの回路の全てのダイオード５が消灯する。先ず、一万円の量を示していた「橙」の発光ダイオード５が消灯し、さらに賞球Ｂが減ってゆくと五千円の量を示していた「黄」の発光ダイオード５も消灯する。要するに、賞球Ｂが収納箱１０を発光させるためのスイッチの役割を果しているのである。
【００１６】
このように、この実施形態の収納箱１０は賞球Ｂの溜まり具合により、箱１０に取り付けられた発光ダイオード５が発光したり消灯したりするので、それによって遊戯者が一喜一憂して、遊戯に張りを持てることとなる。
【００１７】
また、この収納箱１０における賞球Ｂの機能としては、上記箱１０の発光作用のスイッチング作用だけでなく、その閉回路が形成された際に、賞球Ｂが帯びている静電気が空中に放電されて、静電気除去の役割をも果たすことになっている。
【００１８】
【発明の効果】
以上、説明したように、この発明は、賞球が所定の深さに達した際に収納箱が発光するようにし、その位置から下がると、その発光がなくなるようにしたので、その光る位置に適宜な額の賞金を対応させるようにすれば、遊戯者はそれを認識し、満足感あるいは他の遊戯者に対する優越感を感じるようになり、遊戯に張りを持てるといった効果がある。
【図面の簡単な説明】
【図１】（ａ）に実施形態の収納箱を斜視図で示し、（ｂ）にその要部を断面で示したものである。
【図２】（ａ）〜（ｃ）に、賞球が溜まってゆく過程での収納箱の発光の様子を示したものである。
【符号の説明】
１  コ字状
２  把手
３、４  基板
３ｗ、４ｗ  電線
３ａ、４ａ  リード線
３ｈ、４ｈ  穴
５  発光ダイオード
６  切り欠き
７  電池
１０  収納箱
Ｂ  賞球
【図１】
0004398045.tif 000002
【図２】
0004398045.tif 000003